(57)【要約】【解決手段】ダネッジにおいて、収納される物品Ａの裏面に形成された凹部が嵌合する物品下部支持部材３を形成する周壁部３ａの内周面に、複数本のリブ４ａを形成したものである。【効果】収納される物品の裏面に形成された凹部が嵌合する物品下部支持部材を形成する周壁部の内周面に、複数本のリブを形成したので、物品下部支持部材の強度や剛性が高められ、従って、物品下部支持部材の変形や損傷を防止することができるとともに、下に位置するダネッジに収納された物品の上部への上に位置するダネッジの物品上部支持部材の嵌合が容易になる。【選択図】図３
2005104489.tif 000002
【特許請求の範囲】
【請求項１】
収納される物品の裏面に形成された凹部が嵌合する物品下部支持部材を形成する周壁部の内周面に、複数本のリブが形成されていることを特徴とするダネッジ。
【請求項２】
下に位置するダネッジに収納された物品の上面に形成された凹部と上に位置するダネッジの物品上部支持部材との間に形成された間隙を、物品の裏面に形成された凹部と物品下部支持部材の外周面との間に形成された間隙より、広くしたことを特徴とする請求項１に記載のダネッジ。
【発明の詳細な説明】
【技術分野】
【０００１】
本発明は、上面に突設された支持部材に、物品に形成されている空間部を嵌合することにより、複数の物品を収納するように構成されたダネッジに関するものである。
【背景技術】
【０００２】
従来、ダネッジの上面に形成された支持部材に、物品に形成されている空間部を嵌合することにより、ダネッジに物品を収納し、また、このように、ダネッジに収納された物品の上に、更に、ダネッジを載置することにより、物品が収納されたダネッジを、多段に積み重ねるように構成されたダネッジが、一例として特許文献１に開示されている。
【特許文献１】特開平７−１８７２６９号公報
【発明の開示】
【発明が解決しようとする課題】
【０００３】
上述した従来のダネッジに形成されている支持部材は、略円筒状に形成されているが、その強度や剛性が十分でないために、変形したり損傷する等の問題があった。
【０００４】
また、複数の物品が収納されたダネッジを、段積みする際には、下に位置するダネッジに収納された複数の物品の上端部に形成された孔に、上に位置するダネッジの裏面に形成された、下方に延在する支持部材を嵌合させることになるが、下に位置するダネッジに収納された物品のガタが大きいために、上に位置するダネッジを、下に位置するダネッジに収納された複数の物品の上に載置する載置作業に時間と手間がかかるという問題があった。
【０００５】
更に、上述したように、支持部材の強度や剛性が十分でないために、支持部材が変形したり損傷すると、下に位置するダネッジに収納された物品のガタが更に大きくなり、従って、上に位置するダネッジを、下に位置するダネッジに収納された複数の物品の上に載置する載置作業に、更なる時間と手間がかかるという問題があった。
【０００６】
本発明の目的は、上述した従来のダネッジが有する課題を解決することにある。
【課題を解決するための手段】
【０００７】
本発明は、上述した目的を達成するために、ダネッジにおいて、第１には、収納される物品の裏面に形成された凹部が嵌合する物品下部支持部材を形成する周壁部の内周面に、複数本のリブを形成したものであり、第２には、下に位置するダネッジに収納された物品の上面に形成された凹部と上に位置するダネッジの物品上部支持部材との間に形成された間隙を、物品の裏面に形成された凹部と物品下部支持部材の外周面との間に形成された間隙より、広くしたものである。
【発明の効果】
【０００８】
本発明は、上述した構成により、以下に記載の効果を奏するものである。
【０００９】
収納される物品の裏面に形成された凹部が嵌合する物品下部支持部材を形成する周壁部の内周面に、複数本のリブを形成したので、物品下部支持部材の強度や剛性が高められ、従って、物品下部支持部材の変形や損傷を防止することができる。
【００１０】
下に位置するダネッジに収納された物品の上面に形成された凹部と上に位置するダネッジの物品上部支持部材との間に形成された間隙を、物品の裏面に形成された凹部と物品下部支持部材の外周面との間に形成された間隙より、広くしたので、物品下部支持部材に嵌合された物品のガタツキを可能な限り抑制することができ、従って、後述するように、ダネッジに収納された物品の上に、他のダネッジを段積みした際に、段積みされたダネッジのぐらつきを少なくすることができ、安定した状態で、物品が収納されたダネッジを、段積みすることができる。
【００１１】
また、下に位置するダネッジに収納された物品の上面に形成された凹部と上に位置するダネッジの物品上部支持部材との間に形成された間隙を、物品の裏面に形成された凹部と物品下部支持部材の外周面との間に形成された間隙より、広くしたので、下に位置するダネッジに収納された物品の上部への上に位置するダネッジの物品上部支持部材の嵌合が容易になり、従って、物品が収納されたダネッジへのダネッジの段積み作業の作業性が向上する。
【実施例】
【００１２】
以下に、本発明の実施例について説明するが、本発明の趣旨を越えない限り何ら、本実施例に限定されるものではない。
【００１３】
１は、ダネッジの板状基板２に形成された、上方が開放された物品下部収納凹部である。物品下部収納凹部１は、平面形状が円板状の底部１ａと、底部１ａの周縁に立設された円筒状の側壁部１ｂとを有しており、底部１ａの中央部には、物品の下部に形成された下部孔部が嵌合する物品下部支持部材３が立設されている。
【００１４】
物品下部支持部材３は、底部１ａの中央部に穿設された透孔１ｃの周縁に立設された円筒状周壁部３ａと、円筒状周壁部３ａの上端から、内側で且つ上方に傾斜した環状傾斜部３ｂと、環状傾斜部３ｂの上端から、内側で且つ略水平方向に延在する環状天部３ｃとにより形成されている。
【００１５】
物品下部支持部材３の円筒状周壁部３ａの内周面には、所定の間隔で、複数本の垂直リブ４ａが形成されており、垂直リブ４ａの上端は、物品下部支持部材３の環状天部３ｃに連接されている。垂直リブ４ａは、少なくとも、３本以上形成されており、因みに、本実施例には、等間隔で、６本の垂直リブ４ａが形成されている例が示されている。垂直リブ４ａは、物品下部収納凹部１を形成する底部１ａの裏面１ａ１を越えて、下方に延在しており、また、複数本の垂直リブ４ａの下端部は、垂直リブ４ａに囲まれた領域内に位置する、円筒状連結部４ｂにより、互いに連結されている。このように、複数本の垂直リブ４ａの下端部を、円筒状連結部４ｂにより互いに連結することにより、物品下部収納凹部１を形成する底部１ａの裏面１ａ１を越えて下方に延在する垂直リブ４ａの強度や剛性を高めることができる。更に、垂直リブ４ａの円筒状連結部４ｂに対して反対側に位置する下端角部には、ガイド傾斜部４ａ１が形成されている。
【００１６】
上述した複数本の垂直リブ４ａと円筒状連結部４ｂにより、物品下部収納凹部１を形成する底部１ａの裏面１ａ１を越えて下方に延在する、物品の上部に形成された上部孔部に嵌合される物品上部支持部材４が形成されている。そして、全ての垂直リブ４ａの外側端面４ａ２は、所定の仮想円に一致するように構成されている。
【００１７】
上述したように、物品の下部に形成された下部孔部が嵌合する物品下部支持部材３を形成する円筒状周壁部３ａの内周面には、所定の間隔で、複数本の垂直リブ４ａが形成されているので、物品下部支持部材３の強度や剛性を高めることができる。また、垂直リブ４ａの上端を、物品下部支持部材３の環状天部３ｃに連接することにより、物品下部支持部材３に、物品の下部に形成された下部孔部を嵌合する際に、物品の下部が当接し易い物品下部支持部材３の環状傾斜部３ｂ及び環状天部３ｃの強度や剛性を高めることができるので、物品下部支持部材３、特に、環状傾斜部３ｂや環状天部３ｃの変形や損傷を防止することができる。
【００１８】
また、物品下部収納凹部１を形成する底部１ａの裏面１ａ１には、物品上部支持部材４を、囲むように、内側円筒状垂下周壁５が垂設されており、内側円筒状垂下周壁５の下端は、物品上部支持部材４の下端を越えて、下方に延在しないように形成されている。この内側円筒状垂下周壁５内に、物品の上部が挿入されるように構成されている。
【００１９】
更に、本実施例においては、物品下部収納凹部１を形成する底部１ａの裏面１ａ１には、内側円筒状垂下周壁５の外側で、且つ、内側円筒状垂下周壁５と同心的に、内側円筒状垂下周壁５と同様の外側円筒状垂下周壁６が垂設されている。内側円筒状垂下周壁５の下端と外側円筒状垂下周壁６の下端とは、一致するように構成されている。
【００２０】
上述した物品下部収納凹部１を形成する円板状の底部１ａと円筒状の側壁部１ｂ、物品下部支持部材３を形成する円筒状周壁部３ａや環状傾斜部３ｂや環状天部３ｃ、物品上部支持部材４を形成する垂直リブ４ａの外側端面４ａ２により形成される仮想円や円筒状連結部４ｂ、内側円筒状垂下周壁５及び外側円筒状垂下周壁６は、これらの中心線或いは中心点が、全て一致するように、同心的に配置されている。
【００２１】
次に、図４及び図５を用いて、物品下部収納凹部１等の配置の一例を説明する。
【００２２】
一例として、板状基板２は、方形状領域Ｒ１と該方形状領域Ｒ１の一辺に連接された三角形状領域Ｒ２とからなる略ホームベース状に形成されている例が示されており、板状基板２には、６個の物品下部収納凹部１が形成されている。
【００２３】
板状基板２の方形状領域Ｒ１の中心部に、物品下部収納凹部１Ａが形成されているとともに、方形状領域Ｒ１の角部に、４つの物品下部収納凹部１Ｂ、１Ｃ、１Ｄ、１Ｅが形成されており、更に、三角形状領域Ｒ２には、方形状領域Ｒ１の中心部に形成された物品下部収納凹部１Ａの真下に位置するように、１個の物品下部収納凹部１Ｆが形成されている。
【００２４】
本実施例においては、板状基板２の方形状領域Ｒ１の中心部に形成された物品下部収納凹部１Ａと、方形状領域Ｒ１の角部に形成された４つの物品下部収納凹部１Ｂ、１Ｃ、１Ｄ、１Ｅとは、それぞれ、連結通路Ｐ１により連通されているとともに、三角形状領域Ｒ２に形成された物品下部収納凹部１Ｆと、方形状領域Ｒ１の角部に形成された４つの物品下部収納凹部１Ｂ、１Ｃ、１Ｄ、１Ｅのうち、下方に位置する２つの物品下部収納凹部１Ｃ、１Ｄとは、それぞれ、連結通路Ｐ２により連通されている。勿論、必要に応じて、このような、連結通路Ｐ１、Ｐ２を形成しないように構成することもできる。
【００２５】
また、本実施例においては、板状基板２の方形状領域Ｒ１の中心部に形成された外側円筒状垂下周壁６Ａと、方形状領域Ｒ１の角部に形成された４つの外側円筒状垂下周壁６Ｂ、６Ｃ、６Ｄ、６Ｅとは、それぞれ、連結通路Ｐ３により連通されているとともに、また、三角形状領域Ｒ２に形成された外側円筒状垂下周壁６Ｆと、方形状領域Ｒ１の角部に形成された４つの外側円筒状垂下周壁６Ｂ、６Ｃ、６Ｄ、６Ｅのうち、下方に位置する２つの外側円筒状垂下周壁６Ｃ、６Ｄとは、それぞれ、連結通路Ｐ４により連通されている。勿論、必要に応じて、このような、連結通路Ｐ３、Ｐ４を形成しないように構成することもできる。
【００２６】
更に、連結通路Ｐ３、Ｐ４を挟んで位置する内側円筒状垂下周壁５同士が、連結リブ７により連結されているとともに、内側円筒状垂下周壁５と外側円筒状垂下周壁６とは、適当数の連結リブ８により連結されている。これらの連結リブ７、８は、内側円筒状垂下周壁５の下端及び外側円筒状垂下周壁６の下端を越えて、下方に延在しないように構成されている。このように、連結通路Ｐ３、Ｐ４を挟んで位置する内側円筒状垂下周壁５同士を連結する連結リブ７を形成することにより、ダネッジの強度や剛性を高めることができ、また、内側円筒状垂下周壁５と外側円筒状垂下周壁６とを連結する連結リブ８を形成することにより、ダネッジの強度や剛性を更に高めることができる。
【００２７】
なお、板状基板２の周辺部に沿って、下方に略垂直に延在する周状側壁２ａを形成することにより、板状基板２の強度や構成を高めることができ、ひいては、ダネッジの強度や剛性が向上する。また、必要に応じて、物品下部収納凹部１を形成する底部１ａと側壁部１ｂとにより構成される隅部に位置する底部１ａ或いは側壁部１ｂに、透孔９を穿設することにより、物品下部収納凹部１に溜まった雨水や洗浄液を排出することができるように構成することが好ましい。
【００２８】
更に、本実施例においては、板状基板２の三角形状領域Ｒ２の上方に位置する方形状領域Ｒ１を形成する上辺に沿って配置されている物品下部収納凹部１Ｂと物品下部収納凹部１Ｅとの間に、換言すれば、外側円筒状垂下周壁６Ｂと外側円筒状垂下周壁６Ｅとの間には、凹部１０が形成されている。このような凹部１０を形成することにより、ダネッジの軽量化及びダネッジの材料の節約を実現することができる。また、上述したように、板状基板２は、方形状領域Ｒ１と該方形状領域Ｒ１の一辺に連接された三角形状領域Ｒ２とからなる略ホームベース状に形成されているとともに、上記の外側円筒状垂下周壁６Ｂと外側円筒状垂下周壁６Ｅとの間に凹部１０が形成されているので、このような構成を有するダネッジを、容器に収容した際には、容器の側壁と凹部１０とにより形成される空間部と、容器の側壁と三角形状領域Ｒ２とにより形成される空間部とに手を入れるとともに、ダネッジの板状基板２の裏面に手を入れて、ダネッジを、容器から取り出すことができるので、従って、容器からのダネッジの取り出し作業の作業性が向上する。
【００２９】
次に、図６及び図７を用いて、上述した構成を有するダネッジに収納される物品Ａの一例について説明する。
【００３０】
物品Ａは、円盤状の下部フランジ部ａ１と、下部フランジ部ａ１の中央部から立設された円筒状部ａ２とから構成されており、物品Ａの中心には、上下方向に貫通する垂直透孔ａ３が穿設されている。また、物品Ａの下端部は、底部１ａと側壁部１ｂにより形成される物品下部収納凹部１に収納されるように構成されているとともに、物品Ａの上端部は、物品下部収納凹部１を形成する底部１ａの裏面１ａ１に垂設された内側円筒状垂下周壁５に収納されるように構成されている。なお、本実施例には、物品Ａの中心に形成されている垂直透孔ａ３の内径Ｄｉが、一定である例が示されている。
【００３１】
上述した物品Ａの垂直透孔ａ３の透孔下部に、ダネッジの物品下部収納凹部１の底部１ａに突設された物品下部支持部材３を嵌合することにより、物品Ａを、ダネッジに立設する。物品Ａの垂直透孔ａ３の透孔下部の内周面と物品下部支持部材３の外周面との間に形成される間隙は、可能な限り狭くすることが好ましい。このように、物品Ａの垂直透孔ａ３の透孔下部の内周面と物品下部支持部材３の外周面との間に形成される間隙を狭くしても、物品Ａは、一個一個、個別に、作業者により、物品下部支持部材３に嵌合されるので、物品下部支持部材３の物品Ａの垂直透孔ａ３の透孔下部への嵌合作業に手間がかかったり、嵌合作業の作業時間が長くなるようなことはない。このようにして、ダネッジの物品下部収納凹部１の底部１ａに突設された全ての物品下部支持部材３に、物品Ａを嵌合する。
【００３２】
上述したように、物品Ａの垂直透孔ａ３の透孔下部の内周面と物品下部支持部材３の外周面との間に形成される間隙を狭くすることにより、物品下部支持部材３に嵌合された物品Ａのガタツキを可能な限り抑制することができ、従って、後述するように、ダネッジに収納された物品Ａの上に、他のダネッジを段積みした際に、段積みされたダネッジのぐらつきを少なくすることができ、安定した状態で、物品Ａが収納されたダネッジを、段積みすることができる。
【００３３】
次いで、物品下部収納凹部１の底部１ａに突設された全ての物品下部支持部材３に、物品Ａが嵌合された状態（以下、満杯状態という。）のダネッジに収納された物品Ａに、物品Ａが収納されていない空のダネッジ或いは満杯状態のダネッジを載置することになるが、この際には、下に位置するダネッジの物品下部支持部材３に支持されている全ての物品Ａの垂直透孔ａ３の透孔上部には、上に位置するダネッジの全ての物品上部支持部材４の垂直リブ４ａが、一度に嵌合されることになる。
【００３４】
上述した下に位置するダネッジに収納された物品Ａの上に、物品Ａが収納されていない空のダネッジ或いは満杯状態のダネッジを載置する際には、上述したように、一個一個、個別に、物品Ａの垂直透孔ａ３の透孔下部を、ダネッジの物品下部支持部材３に嵌合する場合と異なり、下に位置するダネッジの物品下部支持部材３に嵌合されている物品Ａの全ての垂直透孔ａ３の透孔上部に、上に位置するダネッジの全ての物品上部支持部材４を、一度に嵌合しなければならないので、下に位置するダネッジに収納された物品Ａの垂直透孔ａ３の透孔上部の内周面と上に位置するダネッジの物品上部支持部材４を構成する垂直リブ４ａの外側端面４ａ２により形成される仮想円との間に形成される間隙は、物品Ａの垂直透孔ａ３の透孔下部の内周面と物品下部支持部材３の円筒状周壁部３ａの外周面との間に形成される間隙より、広く形成されている。
【００３５】
上述したように、下に位置するダネッジに収納された物品Ａの垂直透孔ａ３の透孔上部の内周面と上に位置するダネッジの物品上部支持部材４を構成する垂直リブ４ａの外側端面４ａ２により形成される仮想円との間に形成される間隙を、物品Ａの垂直透孔ａ３の透孔下部の内周面と物品下部支持部材３の円筒状周壁部３ａの外周面との間に形成される間隙より、広くすることにより、下に位置するダネッジに収納された物品Ａの垂直透孔ａ３の透孔上部への上に位置するダネッジの物品上部支持部材４の嵌合が容易になり、従って、物品Ａが収納されたダネッジへのダネッジの段積み作業の作業性が向上する。
【００３６】
更に、物品上部支持部材４を構成する垂直リブ４ａの円筒状連結部４ｂに対して反対側に位置する下端角部には、ガイド傾斜部４ａ１が形成されているので、下に位置するダネッジに収納された物品Ａの垂直透孔ａ３の透孔上部への上に位置するダネッジの物品上部支持部材４の嵌合が容易になり、従って、物品Ａが収納されたダネッジへのダネッジの段積み作業の作業性が更に向上する。
【００３７】
更にまた、物品上部支持部材４を、垂直リブ４ａからなるリブ構造としたので、物品上部支持部材４を、物品下部支持部材３のように、円筒状周壁部３ａとした場合に比べて、下に位置するダネッジに収納された物品Ａの垂直透孔ａ３の透孔上部への物品上部支持部材４の嵌合が容易となる。
【００３８】
また、図２や図３等の示されているように、上述したように、物品上部支持部材４を構成する垂直リブ４ａの下端部は、円筒状連結部４ｂにより連結されているが、この円筒状連結部４ｂの幾つかは、更に下方に延在されており、下方に延在された部分により、円筒状の嵌合部材１１が形成されている。本実施例には、板状基板２の方形状領域Ｒ１の中心部に位置する物品下部収納凹部１Ａに対応する円筒状連結部４ｂ及び上述した凹部１０の両側に配置された物品下部収納凹部１Ｂと物品下部収納凹部１Ｅとに対応する円筒状連結部４ｂに、上記の嵌合部材１１が形成されている例が示されている。
【００３９】
物品が収納されていない、空のダネッジ同士を段積みした際には、図８に示されているように、下に位置するダネッジの物品下部支持部材３の環状天部３ｃの孔部３ｃ１に、上に位置するダネッジの嵌合部材１１が嵌合するように構成されており、空のダネッジ同士を段積みした際に、上に位置するダネッジの下に位置するダネッジに対する水平移動が制限され、よって、多数の空のダネッジを、安定した状態で、段積みすることができる。
【００４０】
また、上述した実施例には、円盤状の下部フランジ部ａ１と該下部フランジ部ａ１の中央部から立設された円筒状部ａ２とから構成されている物品Ａが、一例として示されているが、このような物品Ａに限定されることはない。例えば、上述した物品Ａに形成されている垂直透孔ａ３の透孔下部と透孔上部とを、それぞれの内径に異なったものとすることができる。この場合には、物品Ａの垂直透孔ａ３の透孔下部に嵌合される物品下部支持部材３を構成する円筒状周壁部３ａの外径と、物品Ａの垂直透孔ａ３の透孔上部に嵌合される物品上部支持部材４の垂直リブ４ａの外側端面４ａ２により形成される仮想円の径とは、垂直透孔ａ３の透孔下部と透孔上部とに対応して、異なることになる。
【００４１】
上述したように、物品Ａに形成されている垂直透孔ａ３の透孔下部と透孔上部との内径が異なり、この物品Ａに形成されている垂直透孔ａ３の透孔下部と透孔上部との内径の相違に対応して、物品上部支持部材４の垂直リブ４ａの外側端面４ａ２により形成される仮想円の径が異なる場合においても、上述した理由により、下に位置するダネッジに収納された物品Ａの垂直透孔ａ３の透孔上部の内周面と上に位置するダネッジの物品上部支持部材４を構成する垂直リブ４ａの外側端面４ａ２により形成される仮想円との間に形成される間隙は、物品Ａの垂直透孔ａ３の透孔下部の内周面と物品下部支持部材３の円筒状周壁部３ａの外周面との間に形成される間隙より、広くなるように構成されている。
【００４２】
更に、上述した実施例には、ダネッジに、垂直透孔ａ３が形成されている物品Ａが収納される例が示されているが、垂直透孔ａ３に代えて、上面及び下面に、それぞれ、凹部や窪みが形成されている物品Ａを、ダネッジに収納することもできる。
【００４３】
更にまた、物品Ａに形成されている垂直透孔ａ３を、その水平断面形状が、円形以外に、非円形状とすることもできる。この場合には、適宜、物品下部支持部材３を構成する円筒状周壁部３ａの平面形状や、物品Ａの垂直透孔ａ３の透孔上部に嵌合される物品上部支持部材４の垂直リブ４ａの外側端面４ａ２により形成される仮想周辺線の形状も、当然のことながら、異なることになる。
【００４４】
上述したように、物品の下部に形成された下部孔部が嵌合する物品下部支持部材３を形成する円筒状周壁部３ａの内周面に、所定の間隔で、複数本の垂直リブ４ａが形成されているので、物品下部支持部材３の強度や剛性を高めることができる。
【００４５】
また、垂直リブ４ａの上端を、物品下部支持部材３の環状天部３ｃに連接することにより、物品下部支持部材３に、物品の下部に形成された下部孔部を嵌合する際に、物品の下部が当接し易い物品下部支持部材３の環状傾斜部３ｂ及び環状天部３ｃの強度や剛性を高めることができるので、物品下部支持部材３、特に、環状傾斜部３ｂや環状天部３ｃの変形や損傷を防止することができる。
【００４６】
更に、下に位置するダネッジに収納された物品Ａの垂直透孔ａ３の透孔上部の内周面と上に位置するダネッジの物品上部支持部材４を構成する垂直リブ４ａの外側端面４ａ２により形成される仮想円との間に形成される間隙を、物品Ａの垂直透孔ａ３の透孔下部の内周面と物品下部支持部材３の外周面との間に形成される間隙より、広くすることにより、下に位置するダネッジに収納された物品Ａの垂直透孔ａ３の透孔上部への上に位置するダネッジの物品上部支持部材４の嵌合が容易になり、従って、物品Ａが収納されたダネッジへのダネッジの段積み作業の作業性が向上する。
【００４７】
なお、上述した構成を有するダネッジは、射出成形機を用いて、合成樹脂で一体成形されることになる。
【図面の簡単な説明】
【００４８】
【図１】図１は、本発明のダネッジの斜視図である。
【図２】図２は、本発明のダネッジの裏面斜視図である。
【図３】図３は、本発明のダネッジの一部断面を含む部分拡大斜視図である。
【図４】図４は、本発明のダネッジの平面図である。
【図５】図５は、本発明のダネッジの裏面図である。
【図６】図６は、本発明のダネッジに収納される物品及び物品が収納されたダネッジの斜視図である。
【図７】図７は、物品が収納された本発明のダネッジの段積み状態の一部断面を含む部分拡大斜視図である。
【図８】図８は、物品が収納されていない本発明のダネッジの段積み状態の一部断面を含む部分拡大斜視図である。
【符号の説明】
【００４９】
１・・・・・・・・・・・・・・・・物品下部収納凹部
２・・・・・・・・・・・・・・・・板状基板
３・・・・・・・・・・・・・・・・物品下部支持部材
３ａ・・・・・・・・・・・・・・・円筒状周壁部
４・・・・・・・・・・・・・・・・物品上部支持部材
４ａ・・・・・・・・・・・・・・・垂直リブ
【図１】
2005104489.tif 000003
【図２】
2005104489.tif 000004
【図３】
2005104489.tif 000005
【図４】
2005104489.tif 000006
【図５】
2005104489.tif 000007
【図６】
2005104489.tif 000008
【図７】
2005104489.tif 000009
【図８】
2005104489.tif 000010